(57)【要約】【課題】鳥獣によるゴミの散乱を防止することが可能であり、折りたたみが可能な収容ネットを提供する。【解決手段】  長方形状を呈するネット本体１と、互いに長さの等しい２辺２ａで挟まれた角部２ｂがほぼ直角である二等辺三角形状を呈する２枚の側部ネット２とを有し、各側部ネット２の各等辺２ａとネット本体１の互いに対向する２辺１ａとをそれぞれ縫合し、角部２ｂを底面側に、角部２ｂと対向する開口部６ａを上面側にそれぞれ配置し、開口部６ａより収容物を収容することを特徴とする収容ネット６。【選択図】図２
0003116620.tif 000002
【実用新案登録請求の範囲】
【請求項１】
長方形状を呈するネット本体と、互いに長さの等しい２辺で挟まれた角部がほぼ直角である２等辺三角形状を呈する２枚の側部ネットとを有し、前記各側部ネットの各等辺と前記ネット本体の互いに対向する２辺とをそれぞれ接合し、前記角部を底面側に、前記角部と対向する開口部を上面側にそれぞれ配置し、前記開口部より収容物を収容することを特徴とする収容ネット。
【請求項２】
請求項１記載の収容ネットにおいて、前記開口部には前記開口部の開閉を行うための部材、前記収容ネットを吊るすための部材、開口部を閉じるための部材のうち少なくとも１つが設けられていることを特徴とする収容ネット。
【考案の詳細な説明】
【技術分野】
【０００１】  本考案は、ネットで作られた収容具であって、鳥獣による集積ゴミの散乱被害防止を目的としたネットの形状、構造、及び設置方法に関する。
【背景技術】
【０００２】  鳥獣によるゴミの散乱を防ぐためには、鳥獣を近寄らせないなどの嫌がらせによる解決は難しく、「万全なゴミの捨て方と集積方法」が肝要である。しかし、現状では、集積されたゴミに平らなネット（錘付きも含む）を被せる方法が数多く採用されている。
【考案の開示】
【考案が解決しようとする課題】
【０００３】  現状多く見られる平らなネットを被せる方法では、鳥獣に引き出させない捨て方が難しく、ゴミ量が多い日等にはゴミをネットで被せきれずにゴミがネットよりはみ出し、このはみ出したゴミを鳥獣が散乱させるという問題がある。また、箱型の容器やフレーム枠とネットを有する形式のゴミ収容器なども提案・採用されているが、交通や歩行の妨げになると共に、ゴミ回収時の作業性においても問題を有している。
そこで本考案は上述した問題を解決し、鳥獣によるゴミの散乱を防止できると共に、ゴミ投棄を容易に行うことができ、ゴミ量の変化にも対応可能であり、不使用時には簡単に格納が可能であり、ゴミ回収作業の妨げとならないゴミの収容ネットの提供を目的とする。
【課題を解決するための手段】
【０００４】  請求項１記載の考案は、長方形状を呈するネット本体と、互いに長さの等しい２辺で挟まれた角部がほぼ直角である２等辺三角形状を呈する２枚の側部ネットとを有し、前記各側部ネットの各等辺と前記ネット本体の互いに対向する２辺とをそれぞれ接合し、前記角部を底面側に、前記角部と対向する開口部を上面側にそれぞれ配置し、前記開口部より収容物を収容することを特徴とする。【０００５】  請求項２記載の考案は、前記開口部には前記開口部の開閉を行うための部材、前記収容ネットを吊るすための部材、開口部を閉じるための部材のうち少なくとも１つが設けられていることを特徴とする。
【考案の効果】
【０００６】  本考案によれば、鳥獣によるゴミ散乱被害の確実な防止、ゴミ量の変動への対応と確実な投棄（ヒューマンエラーの防止）、折りたたみ格納による路上障害物の排除、散乱ゴミ回収の回避、飲食店街等の夜間投棄・翌朝回収が可能である。
【考案を実施するための最良の形態】
【０００７】  図１は、本考案の一実施形態を採用した収容ネットを示している。同図において、収容ネット６は、長方形状を呈するネット本体１と、２枚の側部ネット２と、収容ネット６を吊るすための部材である４個の吊り下げ用アタッチメント３と、開口部幅規制アタッチメント４と、収容用把手５とを有している。側部ネット２は、互いに長さの等しい２辺である辺部２ａと、各辺部２ａで挟まれたほぼ直角である角部２ｂを有する三角形状を呈してり、各辺部２ａの長さは、ネット本体１の辺部１ａの長さの２分の１となるように形成されている。ネット本体１と各側部ネット２とは、辺部１ａと各辺部２ａとをそれぞれ縫合されており、図２に示すように、角部２ｂを底面側に配置することにより内部に収容物を収容可能に構成されている。この構成において、角部２ｂと対向する上面側に開口部６ａが形成されていて、必要に応じて開口部６ａの４辺を縄などで補強する。【０００８】  収容ネット６の設置は、図３に示すように、ゴミ集積場周辺の立木、電柱、塀、交通標識などの樹木や構築物を利用して行い、開口部６ａの周囲に配設された各吊り下げ用アタッチメント３をこれらの樹木あるいは構築物に左右２箇所ずつ吊り下げることにより収容ネット６の設置が行われる。収容ネット６は、内部に収容されるゴミの重量を地面で受けるべく、その上下方向の設置位置にゆとりを持たせて設置される。収容ネット６内へのゴミの投棄は、収容用把手５を把持して開口部６ａの幅を広げた状態で、開口部６ａにゴミを落とし込むことにより行われる。【０００９】  図４は、ゴミ量が多い場合の収容ネット６のゴミ収容状態を示している。収容ネット６は、集積場毎のゴミ量に応じてそのサイズを変更可能であるが、この場合、辺部１ａ及び辺部２ａの長さを変えることなく、辺部１ｂの長さのみを例えば２ｍ、２．５ｍ、３ｍと変化させることにより、そのゴミ収容量を変更する。また、ゴミのあふれ出し及び鳥獣よる上からの散乱被害を防止するため、開口部幅規制用アタッチメント４が配設されている。開口部幅規制用アタッチメント４は開口部６ａを形成する一方の辺部１ｂに配設された鉤状部材であり、この鉤部を一方の辺部１ｂに対向する他方の辺部１ｂに係合させることにより開口部６ａの幅が規制され、ゴミのあふれ出し及び鳥獣による上方からのゴミ散乱被害を防止することができる。【００１０】  ゴミの回収は、吊り下げ用アタッチメント３の前面側（左右２個ずつのうちのゴミ回収作業が行われる側各１個ずつ）をそれぞれ樹木あるいは構築物等から外すことにより行われる。これにより収容ネット６は、図５に示すようにその前面側が大きく開放され、ゴミ回収作業を者は行う作業者は回収作業を効率よく行うことができる。【００１１】  ゴミ回収作業完了後、収容ネット６の全ての吊り下げ用アタッチメント３を樹木あるいは構築物等から外すことにより、収容ネット６は図６に示すように簡単に折りたたまれる。これにより収容ネット６はコンパクトな状態で格納される。
【図面の簡単な説明】
【００１２】
【図１】本考案の一実施形態を採用した収容ネットの概略平面展開図である。
【図２】本考案の一実施形態を採用した収容ネットの概略斜視図である。
【図３】本考案の一実施形態における設置時の収容ネットの状態を示す概略斜視図である。
【図４】本考案の一実施形態におけるゴミ収容時の収容ネットの状態を示す概略斜視図である。
【図５】本考案の一実施形態におけるゴミ回収時の収容ネットの状態を示す概略斜視図である。
【図６】本考案の一実施形態における折りたたみ過程の収容ネットの状態を示す概略斜視図である。
【符号の説明】
【００１３】１      ネット本体
１ａ  ネット本体の側部ネットとの接合辺部
１ｂ  ネット本体の１ａの他の辺部
２      側部ネット
２ａ  側部ネットの等辺部
２ｂ  側部ネットのほぼ直角の角部
３      吊り下げ用アタッチメント
４      開口幅規制アタッチメント
５      収容時の開口部拡大用把手
６      収容ネット
６ａ  収容ネット開口部
【図１】
0003116620.tif 000003
【図２】
0003116620.tif 000004
【図３】
0003116620.tif 000005
【図４】
0003116620.tif 000006
【図５】
0003116620.tif 000007
【図６】
0003116620.tif 000008